(57)【特許請求の範囲】
【請求項１】
大入賞口を開閉する可動翼片と、その可動翼片を介して前記大入賞口に入賞した入賞球の通過時に遊技者に利益を与える特定領域と、パチンコ球の外径とほぼ等しい開口幅を有する上球受入部を上部に、その開口幅より若干拡大された開口幅を有する長方形状の下球受入部を下部に連設し前記入賞球を前記特定領域へ導入する特定領域入り口と、この特定領域入り口の前に前記入賞球を受入れ可能な球通し樋が立設されていると共に、特定領域の入口の下球受入れ部の前側に垂立されて特定領域入口の下球受入部を閉塞する後片と、当り図柄を含む図柄群の変動表示が可能な図柄表示体とを備え、
前記特定領域入り口は昇降可能であり、前記特定領域入り口が上方移動する際には、該特定領域入り口は有効開口幅として上球受入部の開口幅を維持しつつ上昇した後に、有効開口幅として下球受入部の開口幅となり、
前記図柄表示体に当り図柄が表示されたことを条件として、前記特定領域入り口が上昇し、有効開口幅として下球受入部の開口幅となって、入賞球を受け入れ可能な有効開口面積は最大になることを特徴とするパチンコ機。
【発明の詳細な説明】
【０００１】
【産業上の利用分野】
この発明は大入賞口と特定領域とを備えた入賞装置が遊技盤に装着されたパチンコ機に関する。
【０００２】
【従来の技術】
大入賞口と特定領域とを備えた入賞装置には入賞球が特定領域を通過する難易度を設定する種々の機構が組込まれている。
【０００３】
【発明が解決しようとする課題】
本発明の課題は大入賞口と特定領域とを備えた入賞装置が遊技盤に装着されたパチンコ機において、大入賞口に入賞した入賞球が特定領域を通過する難易度の設定に関して新規な趣向を有するパチンコ機を提供することである。
【０００４】
【課題を解決するための手段】
本発明のパチンコ機は、大入賞口を開閉する可動翼片と、その可動翼片を介して前記大入賞口に入賞した入賞球の通過時に遊技者に利益を与える特定領域と、パチンコ球の外径とほぼ等しい開口幅を有する上球受入部を上部に、その開口幅より若干拡大された開口幅を有する長方形状の下球受入部を下部に連設し前記入賞球を前記特定領域へ導入する特定領域入り口と、この特定領域入り口の前に前記入賞球を受入れ可能な球通し樋が立設されていると共に、特定領域の入口の下球受入れ部の前側に垂立されて特定領域入口の下球受入部を閉塞する後片と、当り図柄を含む図柄群の変動表示が可能な図柄表示体とを備えている。
又、前記特定領域入り口は昇降可能であり、前記特定領域入り口が上方移動する際には、該特定領域入り口は有効開口幅として上球受入部の開口幅を維持しつつ上昇した後に、有効開口幅として下球受入部の開口幅となる。
そして、前記図柄表示体に当り図柄が表示されたことを条件として、前記特定領域入り口が上昇し、有効開口幅として下球受入部の開口幅となって、入賞球を受け入れ可能な有効開口面積は最大になる。
【０００５】
【作用】
このパチンコ機に備えてある特定領域入り口は昇降可能であり、前記特定領域入り口が上方移動する際には、該特定領域入り口は有効開口幅として上球受入部の開口幅を維持しつつ上昇した後に、有効開口幅として下球受入部の開口幅となる。
そして、図柄表示体に当り図柄が表示されたときには、前記特定領域入り口が上昇し、有効開口幅として下球受入部の開口幅となって、入賞球を受け入れ可能な有効開口面積は最大になる。
【０００６】
【発明の効果】
本発明は前記したように構成してあるので、図柄表示体が特定した図柄によって特定領域入口の有効開口面積を拡縮して入賞球が特定領域へ導入され易い状態と導入され難い状態とに切換えることができ、入賞球が特定領域を通過する難易度の切換え態様を特異化してゲームの興趣を高めることができる。
【０００７】
【実施例】
次に、本発明の１実施例を図面にしたがって説明する。
パチンコ機の遊技盤１の遊技盤面１ａの中央部には入賞装置２が装着されるとともに、遊技盤面１ａには入賞装置２の左方および右方に設置されて左右入賞口３ａを備えた左右固定式役物３と、入賞装置２の下方に横一列に配列されてそれぞれ始動口４ａを有する左、中、右始動入賞装置４と、入賞装置２の両斜め下方にそれぞれ設置されて左右下入賞口５ａを有する左右チューリップ式役物５とが装着されている。
【０００８】
各始動入賞装置４には左、中、右始動口入賞検出スイッチ６がそれぞれ組付けられ、遊技盤１の裏面１ｂには入賞装置２の下方に設置されて入賞装置２内を通り抜けた入賞球を検出する大入賞口入賞検出スイッチ７が取付けられている。
【０００９】
入賞装置２において、遊技盤面１ａにビス着されたベース枠１０の上端には天入賞口１１が開口されるとともに、後方へ突出された上樋片１０ａが形成され、ベース枠１０の上下方向中央部には前方へ並行状に突出された左右１対の支持片１０ｂが形成され、ベース枠１０の下端には後方へ突出されて落入した入賞球を後方へ誘導する下樋片１０ｃが形成されている。
【００１０】
ベース枠１０の前面の上部には水平状に設置された上片１２ａと、この上片１２ａの左右端部に連接されて垂下された左右の下片１２ｂと、上片１２ａの上面の前端縁に連接されて天入賞口１１の前方に垂立された前片１２ｃとが形成された上仕切り部材１２がビス着されている。
【００１１】
上仕切り部材１２の両下片１２ｂの下端縁と、ベース枠１０の両支持片１０ｂとの間にはそれぞれ大入賞口１５が開設されている。
【００１２】
ベース枠１０の前面の下部には後方開放のケース状の表示体収容部１３ａと、この表示体収容部１３ａの左右端部にそれぞれ連接されて上方へ延出され、上端部が両支持片１０ｂの前端面にそれぞれ当接された左右１対の仕切り部１３ｂとが形成された下仕切り部材１３がビス着されている。
【００１３】
ベース枠１０の上樋片１０ａの後端縁には天入賞口１１へ入賞した入賞球を一側方へ誘導する後樋片１７が結合されている。
【００１４】
下仕切り部材１３の表示体収容部１３ａ内に垂直状に設置されたＬＥＤ基板１４の前面には左右１対の図柄表示体（ＬＥＤ）１６が取付けられている。
【００１５】
両図柄表示体１６は大入賞口入賞検出スイッチ７が大入賞口１５に入賞した入賞球を検出した時点で、１１，２２，３３，４４，５５，６６，７７，８８の８図柄を始めに１図柄０．０３２秒、１周期０．２５６秒の移行速度で０．２５６秒間高速変動表示し、続いて１図柄０．１２８秒、１周期１．０２４秒の移行速度で０．２５６秒間低速変動表示して図柄の変動表示を停止し、その時点で両図柄表示体１６が特定した図柄が判定される。
【００１６】
ベース枠１０の後側に設置されてベース枠１０に結合されたケース体２０にはベース枠１０の左右枠部の後方にそれぞれ設置された左右１対の側壁部２１と、この両側壁部２１の上端縁にそれぞれ連接されて後下り状に設置された上壁部２２と、両側壁部２１の後端縁および上壁部２２の後端縁にそれぞれ連接されて垂直状に設置された後壁部２３とが形成されている。
【００１７】
ケース体２０の両側壁部２１の上部には外方へ突出された左右１対の突出部２０ａが形成されている。
【００１８】
ケース体２０の後壁部２３の下部には左右１対の上ガイド孔２３ａと左右１対の下ガイド孔２３ｂとがそれぞれ縦長状に貫設されている。
【００１９】
ケース体２０の両側壁部２１間の下端には後壁部２３の下端に結合された底板２４が前下り状に設置されている。
【００２０】
底板２４の前端部の左右方向中央部には入賞球が落入する前球落下口２６が開設されるとともに、底板２４の後端部の左右方向中央部には入賞球が落入する後球落下口２７が開設され、底板２４の後端部の左右方向中央部付近には後球落下口２７の両側に並立された左右１対の仕切り片２４ａが突設され、後球落下口２７上には後壁部２３に貫挿された特定領域通過検出スイッチ２８の検出部が設置されている。
【００２１】
底板２４の下面後部には後球落下口２７へ落入した入賞球を受入れて前方へ誘導する箱形状の下樋片２９が取付けられている。
【００２２】
ベース枠１０の両側枠部間の中央部付近およびケース体２０の両側壁部２１間の中央部付近にはベース枠１０の枠内およびケース体２０内の前部を上下に仕切る球受け棚２５が後下り状に横架され、この球受け棚２５の両側縁はベース枠１０の両支持片１０ｂおよび両側壁部２１によってそれぞれ支持されている。
【００２３】
球受け棚２５の上面前部の左右方向中央部には前外方から後内方へ円弧状に湾曲された左右１対の側縁を有する中突片２５ａが突出形成され、球受け棚２５の上面後部の左右部には上面が外方から内方へ下傾する左右１対の横突片２５ｂが突出形成され、球受け棚２５上には大入賞口１５へ落入した入賞球を球受け棚２５上の前端部の左部および右部から後端部の中央部付近へ誘導して転落させる左右の球流路が形成されている。
【００２４】
ケース体２０の両側壁部２１の外側には前端付近および後端付近がベース枠１０およびケース体２０によって回転可能に支持された左右１対の駆動軸３０がそれぞれ前後方向に沿って並行状に横架されている。
【００２５】
両駆動軸３０の前端には大入賞口１５を開閉する可動翼片３１の基端部がそれぞれ結合され、両駆動軸３０の後端には後方へ突出された伝動ピン３２ａを有する左右１対の上伝動片３２がそれぞれ結合されている。
【００２６】
ケース体２０の後壁部２３に結合されて後壁部２３の後側に垂直状に設置されたソレノイドベース３３の後面にはスプリング３４ｂで下方に付勢されたプランジャ３４ａをそれぞれ有する左右１対の大入賞口開放ソレノイド３４が下向き状に取付けられ、両大入賞口開放ソレノイド３４のプランジャ３４ａには上伝動片３２の伝動ピン３２ａが挿通された挿通孔３５ａを有する連動片３５がそれぞれピンで結合されている。
【００２７】
両大入賞口開放ソレノイド３４が励磁されたときには両可動翼片３１がそれぞれ外方へ搖動して両大入賞口１５がそれぞれ開放され、両大入賞口開放ソレノイド３４が消磁されたときには両可動翼片３１がそれぞれ内方へ復帰搖動して両大入賞口１５がそれぞれ閉鎖される。
【００２８】
ケース体２０内の後部には警官を模擬した形態を有するキャラクタ体３７が装入されている。
【００２９】
このキャラクタ体３７は底板２４上に昇降動可能に設置されて警官の胴体部を模擬した形態を有するキャラクタ本体３８と、このキャラクタ本体３８の後上端部の左右方向中央部に上下方向への搖動可能に結合されてキャラクタ本体３８上に設置され、警官のヘッド部を模擬した形状を有する第１キャラクタ部品３９と、キャラクタ本体３８の両側面の上端にそれぞれ前後方向への搖動可能に結合され、警官の両腕部を横擬した形態を有する左右１対の第２キャラクタ部品４０と、キャラクタ本体３８の下端部の前側からその前方へ延出された状態で底板２４上に設置されて底板２４に左右方向への搖動可能に結合され、警官の両脚部を模擬した形態を有する左右１対の第３キャラクタ部品４１とを備えている。
【００３０】
キャラクタ本体３８内の左右方向中央部には１個のパチンコ球の通過が可能な間隔を隔てて並立された左右の壁面とこの両壁面の下端縁に連接された底面とによって区画されて底板２４の後球落下口２７に連通された特定領域４２が形成されている。入賞球が特定領域４２を通過すると、大入賞口１５を開閉させる役物連続作動装置が有効となる。
【００３１】
キャラクタ本体３８の前端面の左右方向中央部にはパチンコ球が通り抜ける確率が低くなるようにパチンコ球の外径とほぼ等しい開口幅を有するほぼＵ形状の上球受入れ部４３ａと、パチンコ球が通り抜ける確率が上球受入れ部４３ａを通り抜ける確率より大きくなるように上球受入れ部４３ａの開口幅より若干拡大された開口幅を有する長方形状の下球受入れ部４３ｂとが上下に連設された特定領域入口４３が形成されている。
【００３２】
特定領域入口４３の上球受入れ部４３ａと下球受入れ部４３ｂとの境界は球受け棚２５の後端縁の左右方向中央部の後方に配設され、下球受入れ部４３ｂの両側縁の外方でキャラクタ本体３８の前面には上球受入れ部４３ａの両下端縁のそれぞれ外方に隣設されて前外方から後内方へ傾斜した傾斜面３８ａがそれぞれ形成され、キャラクタ本体３８の前面の下端には下球受入れ部４３ｂの両側で前方へ突出された左右１対の突片３８ｂが形成されている。
【００３３】
キャラクタ本体３８の下部後端にはケース体２０の両上ガイド孔２３ａをそれぞれ貫通して後方へ突出された左右１対の上伝動ピン３８ｃと、ケース体２０の両下ガイド孔２３ｂをそれぞれ貫通して後方へ突出された左右１対の下伝動ピン３８ｄとが挿着されている。
【００３４】
キャラクタ本体３８には両上伝動ピン３８ｃが上部に挿着されて両下伝動ピン３８ｄが下部に挿着され、ケース体２０の後壁部２３の後側に垂直状に設置された中伝動片４４が共同昇降動可能に結合され、この中伝動片４４の下部の左右方向の中央部付近には下方開放の係合部４４ａが凹設されている。
【００３５】
両第３キャラクタ部品４１の上面には球受け棚２５上の後端から落下した入賞球を前方へ誘導する突条列４１ａがそれぞれ前下り状に形成され、両第３キャラクタ部品４１の後端には底板２４の軸受け部２４を貫通して下方へ突出された支軸４１ｂがそれぞれ挿着され、この両支軸４１ｂの下端には下方へ突出された連動ピン５３ａを有する連動片５３がそれぞれ結合されている。
【００３６】
底板２４上の中央部付近には１個のパチンコ球の通り抜けが可能な筒形状の外径を有し、キャラクタ本体３７の特定領域入口４３の前側で両第３キャラクタ部品４１間に設置された球通し樋４５が立設され、この球通し樋４５には横断面形状がＵ形状の前片４５ａと、この前片４５ａの両後端縁に連接され、特定領域入口４３の下球受入れ部４３ｂの前側に垂立されて特定領域入口４３の一部を閉塞する後片４５ｂとが形成され、前片４５ａの上端縁の球入口は後下り状に形成されて球受け棚２５の後端縁の中央部の後下方に隣設され、球通し樋の下端には球出口４５ｃが形成されている。
【００３７】
球受入れ棚２５上から転落した入賞球は球通し樋４５内へ落入するか、両第３キャラクタ部品上へ落下するか、若しくは球通し樋４５を飛び越えて特定領域入口４３内へ落入する。
【００３８】
ケース体２０の後壁部２３の後面に連接されて後方へ水平状に延出された取付け棒２３ｅの後端には浅箱状の上取付けベース４７が垂直状に取付けられ、この上取付けベース４７には後側に垂直状に設置されて後面に複数個のコネクタがはんだ付けされた中継基板４８がビス着されている。
【００３９】
上取付けベース４７の後面下端の左右方向中央部に形成されたモータ取付け部４７ａには取付けベース４７に貫挿されたモータ軸５０ａを有するキャラクタ駆動モータ５０が前向き状に取付けられ、このキャラクタ駆動モータ５０のモータ軸５０ａには円柱状の基部５１ａと、この基部５１ａの外周面に１８０°の範囲にわたって連接されて外端縁が円弧状に湾曲された感受部５１ｂと、基部５１ａの前端面の偏心位置に突設されて中伝動片４４の係合部４４ａに係合され、モータ軸５０ａの回りへ旋回する駆動ピン５１ｃとを有するキャラクタ駆動片５１の基部５１ａが結合されている。
【００４０】
キャラクタ駆動モータ５０が回転駆動されると、中伝動片４４はキャラクタ駆動片５１の駆動ピン５１ｃによって押上げられてキャラクタ本体３８とともに上昇端（上定位置）へ上昇してからキャラクタ本体３８の自重によってキャラクタ本体３８とともに下降端（下定位置）へ下降し、キャラクタ本体３８が２秒間に１回昇降する昇降動作を反復する。
【００４１】
キャラクタ本体３８が下定位置へ下降すると、特定領域入口４３の下球受入れ口４３ｂの上端付近が球通し樋４５の後片４５ｂの上端縁に対置されて球通し樋４５の後片４５ｂの上端縁の上方に開口された特定領域入口４３の有効開口面積（パチンコ球が通過可能な面積）が最少面積に縮小され、入賞球が特定領域入口４３へ落入する確率が低下する。
【００４２】
キャラクタ本体３８が上定位置へ上昇すると、特定領域入口４３の下球受入れ口４３ｂの下端が球通し樋４５の後片４５ｂの上端縁に対置されて特定領域入口４３の有効開口面積が最大面積に拡張され、入賞球が特定領域入口４３へ落入する確率が増大する。
上取付けベース４７のモータ取付け部４７ａの前面上端の左右方向中央部にはキャラクタ駆動モータ５０のモータ軸５０ａの直上に配設されてキャラクタ駆動片５１の感受部５１ｂが挿脱される検出溝５２ａを有する定位置検出スイッチ５２が取付けられている。
【００４３】
キャラクタ駆動モータ５０の回転を停止させる信号が発信されると、キャラクタ駆動モータ５０はキャラクタ本体３８が上定位置へ上昇するまで回転してから、定位置検出スイッチ５２の出力信号によって回転を停止する。
【００４４】
ケース体２０の後壁部２３の下端に連接されて後方へ突出された下取付け棒２３ｆの後端には上取付けベース４７の下端によって係止されて後壁部２３の下端の後側に設置された下取付けベース５５が結合されている。
【００４５】
下取付けベース５５の下面後部に連接されて下方へ突出された取付け片５５ａの下端にはソレノイドベース５６が水平状にビス着され、このソレノイドベース５６上にはスプリング５８ｂで前方へ付勢されたプランジャを有するキャラクタ部品駆動ソレノイド５８が前向き状に設置されている。
【００４６】
キャラクタ部品駆動ソレノイド５８のプランジャ５８ａには平面形状がほぼコ形状に形成された下伝動片５９の後端中央部が共動可能に結合され、下伝動片５９の両前端部には両連動片５３の連動ピン５３ａが挿通されて下伝動片５９と両連動片５３とを連動可能に連繋する横長状の挿通孔５９ａがそれぞれ貫設されている。
【００４７】
キャラクタ部品駆動ソレノイド５８が励磁されてプランジャ５８ａが下伝動片５９とともに後方へ退動すると、両連動片５３がそれぞれ後方へ搖動して両第３キャラクタ部品４１がそれぞれ内方へ搖動し、両第３キャラクタ部品４１の前端部が対接して球通し樋４５の下端の球出口付近が両第３キャラクタ部品４１の前端部によって遮断され、球通し樋４５内への入賞球の通り抜けが不能となって球通し樋４５内に落入した入賞球が最高２個まで球通し樋４５内に停留される。
【００４８】
キャラクタ部品駆動ソレノイド５８が消磁されてプランジャ５８ａが下伝動片５９とともに前方へ進動すると、両第３キャラクタ部品４１がそれぞれ外方へ搖動して前後方向に沿って並行状態で保持され、球通し樋口４５の球出口の前方が開放されて球通し樋４５内への入賞球の通り抜けが可能となる。
【００４９】
ケース体２０の後壁部２３の左上部および右上部の後側にはＬＥＤ基板６１がそれぞれ設置され、この両ＬＥＤ基板６１の前面にはそれぞれ斜めに２列に配列された各５個の装飾ＬＥＤ６０が接続されている。
【００５０】
各装飾ＬＥＤ６０は、左列の５個の装飾ＬＥＤ６０の番号を上から順に１，２，３，４，５とし、右列の５個の装飾ＬＥＤの番号を上から順に６，７，８，９，１０とすると、１，６→１，２，６，７→１，２，３，６，７，８→１，２，３，４，６，７，８，９→１，２，３，４，５，６，７，８，９，１０→全部消灯の順に切替え点灯される。
【００５１】
装飾ＬＥＤ６０の切替え点灯時間および周期は、電源投入時は切替え時間が１秒で周期が６秒、始動口４ａ入賞時から大入賞口閉鎖後３．４９６秒間は切替え時間が０．２４８秒で周期が１．４８８秒、図柄表示体１６の停止図柄が当り図柄となったときおよび大入賞口１５の連続開閉時および連続開閉終了後３．４９６秒間は切替え時間が０．５秒で周期が３秒、入賞球の特定領域４２通過後３．４９６秒間は切替え時間が０．１２４秒で周期が０．７４４秒となるように設定されている。
【００５２】
次に、ゲーム態様について説明すると、パチンコ機の電源投入時にはキャラクタ本体３８は下定位置まで下降して停止し、両第３キャラクタ部材４１は外搖動端位置で停止し、両図柄表示体１６は１１を表示する。
【００５３】
遊技盤面１ａへ打出されたパチンコ球が左右入賞口３ａ、各始動口４ａ、左右下入賞口５ａ，天入賞口１１に入賞すると、それぞれ６個の賞品球が払い出され、パチンコ球が大入賞口１５に入賞すると１３個の賞品球が払い出される。
【００５４】
パチンコ球が始動口４ａに入賞すると、役物連続作動装置が２秒後に有効となって大入賞口１５が０．３５２秒間１回開放されてから閉鎖され、大入賞口１５が閉鎖されてから３．４９６秒後に役物連続作動装置が無効となる。
【００５５】
始動口４ａの入賞によって開放された大入賞口１５にパチンコ球が入賞すると、両図柄表示体１６が８図柄の変動表示を開始して８図柄を０．２５６秒間高速で変動表示し、続いて０．２５６秒間低速で変動表示して図柄の変動表示を停止し、両図柄表示体１６が特定した図柄が当り図柄か外れ図柄かが判定される。
【００５６】
両図柄表示体１６が特定した図柄が８図柄のうち、３３若しくは７７となったときには当りとなってキャラクタ本体３８が上昇動作を開始し、１秒後に上定位置へ上昇して静止し、特定領域入口４３の有効開口面積が最大となる。
【００５７】
両図柄表示体１６が特定した図柄が３３，７７以外となった場合にはキャラクタ３８は下定位置へ下降したままの状態で保持される。
【００５８】
大入賞口１５の開放中入賞球が特定領域入口４３に落入して特定領域４２を通過すると、役物連続作動装置が作動して大入賞口が３．４９６秒後に２６．３秒間に１８回連続開閉される。
【００５９】
この大入賞口１５の１８回連続開閉のうち、１回目から１３回目までは大入賞口１５は０．８秒間開放されて０．７秒間閉鎖され、１４回目から１８回目までは１秒間閉鎖されて０．５秒間開放され、１８回目に大入賞口１５が閉鎖されてから３．４９６秒後に役物連続作動装置が無効となる。
【００６０】
入賞球が特定領域４２を通過すると、キャラクタ本体３８は０〜２秒後に下定位置へ下降して静止し、大入賞口１５が１０回目に開放された時点、若しくは、大入賞口１５に入賞した入賞球が４個カウントされた時点で、上昇動作を開始して１秒後に上定位置で静止し、大入賞口１５が１８回目に閉鎖された時点、若しくは、大入賞口１５に入賞した入賞球を１０個カウントした時点で下降動作を開始して１秒後に下定位置で静止する。
【００６１】
入賞球が特定領域４２を通過すると、両第３キャラクタ部材４１は内外搖動端位置への搖動動作を開始して０．５秒間隔で搖動動作を反復し、大入賞口１５が１回目に開放された時点で外搖動端位置で静止し、大入賞口１５が１０回目に開放された時点、若しくは、大入賞口１５に入賞した入賞球が４個カウントされた時点で内外搖動端位置への搖動動作を０．５秒間隔で２回反復してから、外搖動位置で静止する。
【００６２】
大入賞口１５の１８回連続開閉の回数は最初の回数を含めて最高１６回まで許容される。
【００６３】
両図柄表示体１６は大入賞口１５の１８回連続開閉終了後電源投入時と同様に１１を表示する。
【００６４】
パチンコ球が開閉中の大入賞口１５に１０個入賞したときにはその時点で大入賞口１５が閉鎖される。
【００６５】
パチンコ球が大入賞口１５の連続開閉中に始動口４ａに入賞したときには規定数の賞品球が払い出されるだけで、大入賞口１５の連続開閉終了後の大入賞口１５の１８回連続開閉は再開されない。
【００６６】
続いて、上記した構成をもつ実施例の作用と効果を説明する。
本例では開閉制御可能な大入賞口１５と、入賞球の通過時に遊技者に利益を与える特定領域４２とを備えた入賞装置２には入賞球を前記特定領域４２へ導入する特定領域入口４３を有し、この特定領域入口４３の有効開口面積が拡縮されるように駆動制御されるキャラクタ本体３８と、当り図柄を含む図柄群の変動表示が可能で特定した図柄によってキャラクタ本体３８の駆動条件を規定する図柄表示体１６とを設けてある。
【００６７】
このため、両図柄表示体１６が特定した図柄によって特定領域入口４３の有効開口面積を拡縮して入賞球が特定領域４２へ導入され易い状態と導入され難い状態とに切換えることができ、入賞球が特定領域４２を通過する難易度の切換え態様を特異化してゲームの興趣を高めることができる。
【図面の簡単な説明】
【図１】本発明の１実施例を示すもので、遊技盤の正面図である。
【図２】遊技盤の裏面図である。
【図３】入賞装置の正面図である。
【図４】入賞装置の側断面図である。
【図５】入賞装置の一部破断斜視図である。
【図６】図４のＸ−Ｘ線矢視図である。
【図７】キャラクタ本体の昇降動作に伴う特定領域入口の拡縮態様を説明するキャラクタ体の正面図である。
【図８】キャラクタ本体の昇降動作を説明するキャラクタ体の正面図である。
【図９】第３キャラクタ部品の搖動動作を説明する斜視図である。
【図１０】パチンコ機の制御回路のブロック図である。
【図１１】電源投入時のキャラクタ本体の動作を説明するタイムチャートである。
【図１２】始動口入賞時のタイムチャートである。
【図１３】図柄表示体の変動表示態様を説明するタイムチャートである。
【図１４】入賞球が特定領域を通過したときのタイムチャートである。
【図１５】入賞球が特定領域を通過して１０個カウントされたときのタイムチャートである。
【図１６】入賞球が再度特定領域を通過したときのタイムチャートである。
【符号の説明】
１  遊技盤
２  入賞装置
１５  大入賞口
１６  図柄表示体
３７  キャラクタ体
３８  キャラクタ本体
４２  特定領域
４３  特定領域入口
５０  キャラクタ駆動モータ
【図１】
0003909398.tif 000002
【図２】
0003909398.tif 000003
【図３】
0003909398.tif 000004
【図４】
0003909398.tif 000005
【図５】
0003909398.tif 000006
【図６】
0003909398.tif 000007
【図７】
0003909398.tif 000008
【図８】
0003909398.tif 000009
【図９】
0003909398.tif 000010
【図１０】
0003909398.tif 000011
【図１１】
0003909398.tif 000012
【図１２】
0003909398.tif 000013
【図１３】
0003909398.tif 000014
【図１４】
0003909398.tif 000015
【図１５】
0003909398.tif 000016
【図１６】
0003909398.tif 000017